(57)【要約】【課題】  料金面において、需要家の電力使用状況に柔軟に対応する。【解決手段】  対象需要家Ｃを含む需要家Ｃに電力を供給するバンクの１日における各時間帯の負荷順位を、過去の負荷実績に基づいて負荷が大きい順に割り当て、対象需要家Ｃが指定したゴールデンタイムの標準電力料金に対する割引額を、ゴールデンタイムの負荷順位が上位の場合には小さく、負荷順位が下位の場合には大きく設定する。また、対象需要家Ｃに対するブラックタイムと割増量とを、ゴールデンタイムが負荷順位上位の時間帯の場合には、ブラックタイムが負荷順位上位の時間帯でかつ割増量が大きくなるように設定し、ゴールデンタイムが負荷順位下位の時間帯の場合には、ブラックタイムが負荷順位下位の時間帯でかつ割増量が小さくなるように、あるいはブラックタイムと割増量とを設けないように設定する。【選択図】  図４
2010271761.tif 000002
【特許請求の範囲】
【請求項１】
複数の需要家に電力を供給する電力供給設備ごとに、１日における各時間帯の負荷順位を、過去の負荷実績に基づいて負荷が大きい順に割り当て、
需要家が割引希望時間帯として指定した場合の、各時間帯の標準電力料金に対する割引量を、負荷順位上位の時間帯では小さく、負荷順位下位の時間帯では大きくなるように設定し、
前記需要家に対する電力料金の割増対象時間帯と割増量とを、前記割引希望時間帯が負荷順位上位の時間帯の場合には、割増対象時間帯が負荷順位上位の時間帯でかつ割増量が大きくなるように設定し、前記割引希望時間帯が負荷順位下位の時間帯の場合には、割増対象時間帯が負荷順位下位の時間帯でかつ割増量が小さくなるように、あるいは割増対象時間帯と割増量とを設けないように設定する割引割増設定手段と、
需要家に電力を供給している電力供給設備などの需要家に関する情報を記憶した需要家データベースと、
対象需要家の電力供給設備の前記割引割増設定手段による設定結果を、前記需要家データベースに基づいて割り出す割出手段と、
を備えることを特徴とする電力料金設定システム。
【請求項２】
前記割引割増設定手段による設定結果を需要家に提供する情報提供手段を備える、ことを特徴とする請求項１に記載の電力料金設定システム。
【請求項３】
対象需要家を含む需要家に電力を供給する電力供給設備の１日における各時間帯の負荷順位を、過去の負荷実績に基づいて負荷が大きい順に割り当て、
前記対象需要家が指定した割引希望時間帯の標準電力料金に対する割引量を、前記割引希望時間帯の負荷順位が上位の場合には小さく、負荷順位が下位の場合には大きく設定し、
前記対象需要家に対する割増対象時間帯と割増量とを、前記割引希望時間帯が負荷順位上位の時間帯の場合には、割増対象時間帯が負荷順位上位の時間帯でかつ割増量が大きくなるように設定し、前記割引希望時間帯が負荷順位下位の時間帯の場合には、割増対象時間帯が負荷順位下位の時間帯でかつ割増量が小さくなるように、あるいは割増対象時間帯と割増量とを設けないように設定する、
ことを特徴とする電力料金設定方法。
【発明の詳細な説明】
【技術分野】
【０００１】
この発明は、需要家の希望に応じた電力料金体系を提供する電力料金設定システムおよび設定方法に関する。
【背景技術】
【０００２】
各電力会社では、使用する電力消費設備や電力使用状態などに応じた複数の電力料金メニュを提供している。そして、これらの電力料金メニュのなかから、需要家が自己の電力消費設備などに合った料金メニュを選択し、契約すると、電力料金メニュにおける料金単価が一義的に適用される。すなわち、各時間帯における料金単価が電力料金メニュで設定され、需要家が電力を使用する時間帯に応じて、該当する料金単価が適用されるものである。また、電力の需給バランスが想定を超えた場合に、消費電力をスポット的に抑制する動機付けとして、電力料金の割引やその他の特典を需要家に提供することで、電力負荷の平準化を図る、というシステムが知られている（例えば、特許文献１参照。）。
【先行技術文献】
【特許文献】
【０００３】
【特許文献１】特開２００５−１０７９０１号公報
【発明の概要】
【発明が解決しようとする課題】
【０００４】
ところで、電力の使用状況は、需要家によって多種、多様であり、例えば、１日のある特定の時間帯のみに電力を集中して使用し、他の時間帯ではほとんど電力を使用しない、という場合もある。このような電力使用状況に対して、従来の電力料金メニュでは、時間帯ごとの料金単価が一義的に設定されているため、需要家の電力使用状況に柔軟に対応することが困難である。すなわち、上記のようにある特定の時間帯のみに電力を集中して使用する需要家にとっては、その時間帯の料金単価が低いことが望ましく、他の時間帯の料金単価が低くても、その利得を享受することができない。また、特許文献１に記載のシステムでは、電力料金の割引などを提供することで、消費電力をスポット的に抑制することは可能であるが、需要家が望む時間帯での電力料金を低くすることなどはできず、需要家の電力使用状況に柔軟に対応することはできない。
【０００５】
そこでこの発明は、需要家の電力使用状況に柔軟に対応することが可能な電力料金設定システムおよび設定方法を提供することを目的とする。
【課題を解決するための手段】
【０００６】
上記目的を達成するために請求項１に記載の発明は、複数の需要家に電力を供給する電力供給設備ごとに、１日における各時間帯の負荷順位を、過去の負荷実績に基づいて負荷が大きい順に割り当て、需要家が割引希望時間帯として指定した場合の、各時間帯の標準電力料金に対する割引量を、負荷順位上位の時間帯では小さく、負荷順位下位の時間帯では大きくなるように設定し、前記需要家に対する電力料金の割増対象時間帯と割増量とを、前記割引希望時間帯が負荷順位上位の時間帯の場合には、割増対象時間帯が負荷順位上位の時間帯でかつ割増量が大きくなるように設定し、前記割引希望時間帯が負荷順位下位の時間帯の場合には、割増対象時間帯が負荷順位下位の時間帯でかつ割増量が小さくなるように、あるいは割増対象時間帯と割増量とを設けないように設定する割引割増設定手段と、需要家に電力を供給している電力供給設備などの需要家に関する情報を記憶した需要家データベースと、対象需要家の電力供給設備の前記割引割増設定手段による設定結果を、前記需要家データベースに基づいて割り出す割出手段と、を備えることを特徴とする電力料金設定システムである。
【０００７】
この発明によれば、割引割増設定手段によって、１日の各時間帯を割引希望時間帯とした場合の割引量と、割引希望時間帯に対する割増対象時間帯と割増量とが、電力供給設備ごとに設定される。また、対象需要家に電力を供給している電力供給設備に対する割引、割増の設定結果が、割出手段によって割り出される。
【０００８】
請求項２に記載の発明は、請求項１に記載の電力料金設定システムにおいて、前記割引割増設定手段による設定結果を需要家に提供する情報提供手段を備える、ことを特徴とする。
【０００９】
請求項３に記載の発明は、対象需要家を含む需要家に電力を供給する電力供給設備の１日における各時間帯の負荷順位を、過去の負荷実績に基づいて負荷が大きい順に割り当て、前記対象需要家が指定した割引希望時間帯の標準電力料金に対する割引量を、前記割引希望時間帯の負荷順位が上位の場合には小さく、負荷順位が下位の場合には大きく設定し、前記対象需要家に対する割増対象時間帯と割増量とを、前記割引希望時間帯が負荷順位上位の時間帯の場合には、割増対象時間帯が負荷順位上位の時間帯でかつ割増量が大きくなるように設定し、前記割引希望時間帯が負荷順位下位の時間帯の場合には、割増対象時間帯が負荷順位下位の時間帯でかつ割増量が小さくなるように、あるいは割増対象時間帯と割増量とを設けないように設定する、ことを特徴とする電力料金設定方法である。
【発明の効果】
【００１０】
請求項１に記載の発明によれば、対象需要家に該当する割引、割増の設定結果が割り出されるため、この設定結果を見て割引希望時間帯を指定することで、その時間帯の標準電力料金に対する割引量と、割増対象時間帯と割増量とが決定される。また、請求項３に記載の発明によれば、対象需要家が割引希望時間帯を指定すると、例えばこの需要家が最も電力を使用する時間帯を割引希望時間帯として指定すると、その時間帯の標準電力料金に対する割引量と、割増対象時間帯と割増量とが割り出される。このため、需要家の電力使用状況に柔軟に対応した電力料金体系を設定し、需要家の電力使用状況に柔軟に対応することが可能となる。すなわち、需要家が希望する時間帯の電力料金を割り引くとともに、他の時間帯の電力料金を割り増すことで、需要家の電力使用状況に柔軟に対応しつつ、全体としての料金バランスを維持することが可能となる。しかも、割引希望時間帯が負荷順位上位の場合（電力需要が大きい場合）には、割引量を小さく、割引希望時間帯が負荷順位下位の場合（電力需要が少ない場合）には、割引量を大きく設定するため、割引希望時間帯を電力需要が少ない時間帯に奨励し、電力需要の平準化が可能となる。
【００１１】
さらに、割引希望時間帯の電力需要が大きい場合には、割増対象時間帯を電力需要が大きい時間帯として、かつ割増量を大きく設定する。つまり、多くの需要家が電力使用を望む時間帯の電力料金を割り増すため、対象需要家への影響は大きい。また、割引希望時間帯の電力需要が少ない場合には、割増対象時間帯を電力需要が少ない時間帯として、かつ割増量が小さくなるように、あるいは割増対象時間帯と割増量とを設けないように設定する。つまり、多くの需要家が電力使用を望まない時間帯の電力料金を割り増しなどするため、対象需要家への影響は少ない。この結果、割引希望時間帯を電力需要が少ない時間帯により奨励し、電力需要の平準化や料金の適正化が可能となる。
【００１２】
請求項２に記載の発明によれば、割引割増設定手段による設定結果、つまり、割引希望時間帯ごとの割引量や割増対象時間帯と割増量とが、需要家に提供されるため、需要家はこの設定結果を考慮して、自己の電力使用状況などに適合した割引希望時間帯を検討、決定することができる。
【図面の簡単な説明】
【００１３】
【図１】この発明の実施の形態に係る電力料金設定システムを示す概略構成図である。
【図２】図１のシステムの需要家データベースのデータ構成図である。
【図３】図１のシステムの料金設定タスクのフローチャートである。
【図４】図１のシステムの料金データベースに記憶されている設定表の一例を示す図である。
【図５】図１のシステムにおける料金メニュおよびゴールデンタイムとブラックタイムの一例を示す図である。
【図６】図１のシステムの作用などを示すタイミングチャートである。
【発明を実施するための形態】
【００１４】
以下、この発明を図示の実施の形態に基づいて説明する。
【００１５】
図１は、この発明の実施の形態に係る電力料金設定システム１を示す概略構成図である。このシステム１は、需要家Ｃの希望に応じた電力料金体系を提供するシステムであり、主として、負荷集計サーバ２と料金設定サーバ３とを備え、負荷集計サーバ２と料金設定サーバ３とは通信可能に接続され、各需要家Ｃは、通信端末から通信網ＮＷを介して料金設定サーバ３と通信可能になっている。
【００１６】
負荷集計サーバ２は、複数の需要家Ｃに電力を供給するバンク（電力供給設備）ごとの過去の負荷実績（電力使用量）を集計、記憶するサーバである。すなわち、毎日の各時間（各時間帯）における負荷実績を収集し、時間ごとに全需要家Ｃによる負荷実績を集計して、各月の１日における各時間の平均負荷実績を算出、記憶するものである。
【００１７】
料金設定サーバ３は、後述するように、標準電力料金に対する割引額（割引量）や割増量（割増額）などを設定するとともに、需要家Ｃに対して後述のウェブページ（ホームページ）を提供するサーバである。この料金設定サーバ３は、主として、需要家データベース３１と、料金データベース３２と、Ｗｅｂ機能部（情報提供手段）３３と、料金設定タスク（割引割増設定手段）３４と、料金割出タスク（割出手段）３５と、これらを制御などする中央処理部３６とを備えている。
【００１８】
需要家データベース３１は、需要家Ｃに電力を供給している電力供給設備などの需要家Ｃに関する情報を記憶したデータベースであり、図２に示すように、契約番号３１１ごとに、需要家名３１２、料金メニュ３１３、バンク３１４、ゴールデンタイム３１５、ブラックタイム３１６、その他３１７が記憶されている。そして、契約番号３１１には、契約を識別する識別番号が記憶され、需要家名３１２には、この契約の需要家Ｃの氏名が記憶されている。料金メニュ３１３には、契約されている料金メニュの種類が記憶され、バンク３１４には、この需要家Ｃに電力を供給しているバンクの識別情報が記憶されている。ゴールデンタイム３１５には、この需要家Ｃが割引を希望する時間帯、つまり割引希望時間帯（ゴールデンタイム）が記憶され、ブラックタイム３１６には、この需要家Ｃにとって割増の対象となる時間帯、つまり割増対象時間帯（ブラックタイム）が記憶される。
【００１９】
料金データベース３２は、バンクごとに、１日における各時間の負荷順位、ゴールデンタイムとした場合の割引額や、設定されるブラックタイムなど（図４に示す設定表）を記憶したデータベースである。この料金データベース３２は、後述するように、料金設定タスク３４によって記憶され、Ｗｅｂ機能部３３によって開示されるようになっている。
【００２０】
Ｗｅｂ機能部３３は、ウェブページを提供するものであり、後述するように、外部からのアクセスによりウェブページを開示、提供し、外部からの要求、指令に応じて情報を提供したり、サービスの登録を行ったりするものである。また、提供する情報には、後述する料金設定タスク３４による設定結果、つまり料金データベース３２に記憶された情報・設定表が含まれる。
【００２１】
料金設定タスク３４は、バンクごとに、ゴールデンタイムが指定された場合の割引額や割増額などを設定するプログラムであり、図３に示すフローチャートに基づいて処理を行う。
【００２２】
まず、対象バンクの１日における各時間の負荷順位を、過去の負荷実績に基づいて負荷が大きい順に割り当てる(ステップＳ１)。すなわち、負荷集計サーバ２にアクセスし、対象バンクの対象月（例えば前月）の１日における各時間の平均負荷実績を取得し、負荷実績が大きい順に、各時間の負荷順位を割り当てる。例えば、図４に示すように、１３〜１４時の時間帯を１位、３〜４時の時間帯を２４位、というように割り当てる。
【００２３】
次に、需要家Ｃがゴールデンタイムとして指定した場合の、各時間帯の標準電力料金に対する割引額を、負荷順位上位の時間帯では小さく、負荷順位下位の時間帯では大きくなるように設定する(ステップＳ２)。すなわち、負荷順位１位の時間帯に対しては、割引額を小さく設定し、負荷順位２４位の時間帯に対しては、割引額を大きく設定する。このとき、後述するブラックタイムとその割増額とともに、料金的にシステム運用が成り立つように、各時間帯の割引額を設定する。例えば、図４に示すように、負荷順位１位から２４位の時間帯にわたって、平均単価の１％ずつ割引額が増加するように設定する。
【００２４】
ここで、標準電力料金とは、各料金メニュにおける該当時間帯の標準料金単価（単位エネルギあたりの電力料金）である。例えば、図５に示すように、１日を８時〜１０時のファミリータイムＡと、１０時〜１７時のデイタイムと、１７時〜２３時のファミリータイムＢと、２３時〜翌８時のナイトタイムとの４つの時間グループに分割し、各時間グループにおける料金単価が設定されている料金メニュの場合には、該当する時間グループの料金単価が標準電力料金となる。また、平均単価とは、各料金メニュにおける１日の平均の料金単価であり、例えば、図５に示す料金メニュの場合、次の式によって算出される。
【００２５】
平均単価＝｛（ファミリータイムＡの料金単価×２時間）＋
（デイタイムの料金単価×７時間）＋
（ファミリータイムＢの料金単価×６時間）＋
（ナイトタイムの料金単価×９時間）｝÷２４時間
【００２６】
従って、割引額が適用された場合の各時間帯の料金単価は、次式のようになる。
割引後の料金単価＝該当時間帯の標準電力料金−割引額
（割引額＝平均単価×割引率％）
【００２７】
続いて、対象需要家Ｃに対する電力料金のブラックタイムと割増額とを設定する(ステップＳ３)。このとき、ゴールデンタイムが負荷順位上位の時間帯の場合には、ブラックタイムが負荷順位上位の時間帯でかつ割増額が大きくなるように設定し、ゴールデンタイムが負荷順位下位の時間帯の場合には、ブラックタイムが負荷順位下位の時間帯でかつ割増額が小さくなるように、あるいはブラックタイムと割増額とを設けないように設定する。すなわち、ゴールデンタイムが負荷順位１位の時間帯の場合には、ブラックタイムを負荷順位上位の時間帯に設定し、かつその割増額を大きく設定し、ゴールデンタイムが負荷順位２４位の時間帯の場合には、ブラックタイムを負荷順位下位の時間帯に設定し、かつその割増額を小さく設定、あるいはブラックタイムと割増額とを設けない。例えば、図４に示すように、ゴールデンタイムの負荷順位が１位から１６位の場合には、負荷順位１位または２位の時間帯をブラックタイムとし、平均単価の４％を割増額とする。ここで、ゴールデンタイムの負荷順位が１位の場合に、負荷順位２位の時間帯をブラックタイムとし、それ以外の場合には、負荷順位１位の時間帯をブラックタイムとする。また、ゴールデンタイムの負荷順位が１７位から２４位の場合には、ブラックタイムと割増額とを設けない。
【００２８】
ここで、標準電力料金および平均単価は、上記と同等であり、割増額が適用された場合の各時間帯の料金単価は、次式のようになる。
割増後の料金単価＝該当時間帯の標準電力料金＋割増額
（割増額＝平均単価×割増率４％）
【００２９】
その後、これらの設定結果を料金データベース３２に記憶し(ステップＳ４)、このような処理をすべてのバンクに対して行うものであり、このような料金設定タスク３４は定期的に（例えば毎月）起動される。
【００３０】
料金割出タスク３５は、対象需要家Ｃに電力を供給しているバンクの料金設定タスク３４による設定結果を、需要家データベース３１に基づいて割り出すプログラムである。具体的には、対象需要家Ｃの契約番号に基づいて、この需要家Ｃに電力を供給しているバンク（バンク３１４）を需要家データベース３１から検索し、このバンクの図４に示すような設定表を料金データベース３２から検索、取得するものである。
【００３１】
次に、このような構成の電力料金設定システム１の作用および、このシステム１による電力料金設定方法について、図６のタイミングチャートに基づいて説明する。
【００３２】
まず、毎月所定時期になると、料金設定タスク３４が起動され、上記のようにして、各バンクのゴールデンタイムの割引額およびブラックタイムと割増額（図４の設定表）が設定され、料金データベース３２に記憶される（ステップＳ１１）。次に、需要家Ｃが料金設定サーバ３のウェブページにアクセスし、需要家Ｃの契約番号を入力して割引額などの開示を要求すると（ステップＳ１２）、料金割出タスク３５が起動され、上記のようにして、この需要家Ｃに該当する設定表が料金データベース３２から割り出される（ステップＳ１３）。そして、割り出された設定表が需要家Ｃに開示され（ステップＳ１４）、この設定表を見て、需要家Ｃがゴールデンタイムを指定してこのシステム１による料金サービスの申し込みを行う（ステップＳ１５）。これにより、需要家データベース３１の該当する契約番号３１１のゴールデンタイム３１５に、指定されたゴールデンタイムが記憶され、ブラックタイム３１６に該当するブラックタイムが記憶される（ステップＳ１６）。
【００３３】
そして、記憶されたゴールデンタイムによる割引額とブラックタイムによる割増額とが、翌月の電力料金に反映されるものである。例えば、図４に示すバンク（設定表）の場合、２０〜２１時（負荷順位１３位）をゴールデンタイムに指定した場合には、その割引額が平均単価の１３％となり、ブラックタイムが負荷順位１位の時間帯（１３〜１４時）で、その割増額が平均単価の４％となる。また、５〜６時（負荷順位１９位）をゴールデンタイムに指定した場合には、その割引額が平均単価の１９％となり、ブラックタイムおよび割増額は設定されないことになる。
【００３４】
以上のように、この電力料金設定システム１によれば、対象需要家Ｃに適用される割引、割増の設定表が開示される。このため、この設定表を見てゴールデンタイムを指定することで、例えばこの需要家Ｃが最も電力を使用する時間帯をゴールデンタイムとして指定することで、そのゴールデンタイムの割引額と、ブラックタイムと割増額とが決定される。このため、需要家Ｃの電力使用状況に柔軟に対応した電力料金体系を設定し、需要家Ｃの電力使用状況に柔軟に対応することが可能となる。すなわち、需要家Ｃが希望する時間帯の電力料金を割り引くとともに、他の時間帯の電力料金を割り増すことで、各需要家Ｃの電力使用状況に柔軟に対応しつつ、全体としての料金バランスを維持することが可能となる。
【００３５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、バンクごとの割引、割増の設定表を予め作成し、需要家Ｃに設定表を開示しているが、次のようにしてもよい。すなわち、第１のステップとして、対象需要家Ｃを含む需要家Ｃに電力を供給するバンクの１日における各時間帯の負荷順位を、過去の負荷実績に基づいて負荷が大きい順に割り当る（上記ステップＳ１と同等の処理）。第２のステップとして、対象需要家Ｃが指定したゴールデンタイムの標準電力料金に対する割引額を、ゴールデンタイムの負荷順位が上位の場合には小さく、負荷順位が下位の場合には大きく設定する（上記ステップＳ２と同等の処理）。第３のステップとして、対象需要家Ｃに対するブラックタイムと割増額とを、ゴールデンタイムが負荷順位上位の時間帯の場合には、ブラックタイムが負荷順位上位の時間帯でかつ割増額が大きくなるように設定し、ゴールデンタイムが負荷順位下位の時間帯の場合には、ブラックタイムが負荷順位下位の時間帯でかつ割増額が小さくなるように、あるいはブラックタイムと割増額とを設けないように設定する（上記ステップＳ３と同等の処理）ものである。
【００３６】
また、上記の実施の形態では、バンクごとに割引、割増の設定表を作成しているが、他の電力供給設備ごと、例えばフィーダごとに作成してもよい。さらに、１時間ごとに割引額や割増額を設定しているが、１時間を越える時間帯ごとに設定するようにしてもよい。
【符号の説明】
【００３７】
１        電力料金設定システム
２        負荷集計サーバ
３        料金設定サーバ
３１      需要家データベース
３２      料金データベース
３３      Ｗｅｂ機能部（情報提供手段）
３４      料金設定タスク（割引割増設定手段）
３５      料金割出タスク（割出手段）
Ｃ        需要家
ＮＷ      通信網
【図１】
2010271761.tif 000003
【図２】
2010271761.tif 000004
【図３】
2010271761.tif 000005
【図４】
2010271761.tif 000006
【図５】
2010271761.tif 000007
【図６】
2010271761.tif 000008